(57)【要約】      （修正有）【課題】本発明は、フォームオーバレイ印刷処理を適切に行う画像形成装置に関する。【解決手段】レーザプリンタは、印刷モードが印刷の途中で給紙トレイの切り換えを行う回転ソート印刷モード（Ｓ１０１がＹＥＳ）であると、印刷データのフォームオーバレイ印刷の途中に、最初の給紙トレイに割り付けられているオーバレイフォームとは異なるオーバレイフォームの割り付けられている給紙トレイに使用する給紙トレイが切り換わっても、該フォームオーバレイ印刷で使用するオーバレイフォームとして、該最初の給紙トレイに割り付けられているオーバレイフォームを選択使用するフォーム選択制御処理（Ｓ１０４、Ｓ１０５、Ｓ１０６）を行う。したがって、印刷途中で、割り付けられているオーバレイフォームの異なる給紙トレイを切り換えてフォームオーバレイ印刷を行う場合にも、適切なオーバレイフォームを使用したフォームオーバレイ印刷を行うことができる。【選択図】図２
2008119942.tif 000002
【特許請求の範囲】
【請求項１】
複数の給紙トレイに対してそれぞれ任意のオーバレイフォームが割り付けられてフォーム記憶手段に登録され、印刷データを受信すると、該印刷データの印刷に使用する給紙トレイに割り付けられているオーバレイフォームと該印刷データとをページ毎に重ね合わせて印刷するフォームオーバレイ印刷処理を行う画像形成装置において、受信した印刷データの印刷モードが印刷の途中で給紙トレイの切り換えを行う印刷モードであると、該印刷データの前記フォームオーバレイ印刷の途中に、該印刷で使用する給紙トレイが、最初の給紙トレイに割り付けられているオーバレイフォームとは異なるオーバレイフォームの割り付けられている給紙トレイに切り換わっても、該フォームオーバレイ印刷で使用するオーバレイフォームとして、該最初の給紙トレイに割り付けられているオーバレイフォームを選択使用するフォーム選択制御処理を行うことを特徴とする画像形成装置。
【請求項２】
前記画像形成装置は、前記印刷途中で給紙トレイの切り換えを行う印刷モードが、部毎に縦方向と横方向に用紙の向きを切り換えて印刷する回転ソート印刷モードであることを特徴とする請求項１記載の画像形成装置。
【請求項３】
前記画像形成装置は、前記フォーム選択制御処理において、前記フォーム記憶手段の前記切り換え先の給紙トレイに対して登録されているオーバレイフォームを一時待避させて、該切り換え先の給紙トレイに対して、前記最初の給紙トレイのオーバレイフォームと同じオーバレイフォームを一時的に登録し、該印刷データの印刷処理が完了すると、該切り換え先の給紙トレイに対して前記一時待避させた元のオーバレイフォームを登録することを特徴とする請求項１または請求項２記載の画像形成装置。
【請求項４】
前記画像形成装置は、前記フォーム選択制御処理を、該フォーム選択制御処理の実行が選択されているときにのみ、実行することを特徴とする請求項１から請求項３のいずれかに記載の画像形成装置。
【請求項５】
前記画像形成装置は、複数枚連続して前記フォームオーバレイ印刷を行っている途中に、該使用中の給紙トレイに用紙無しが発生して、使用する給紙トレイが他の給紙トレイに切り換わると、選択に応じて、前記フォーム選択制御処理を中止して、該切り換わり先の給紙トレイに割り付けられているオーバレイフォームを使用して該フォームオーバレイ印刷処理を実行することを特徴とする請求項１から請求項３のいずれかに記載の画像形成装置。
【請求項６】
前記画像形成装置は、前記複数の給紙トレイのうち任意の給紙トレイを指定して該給紙トレイに割り付けられているオーバレイフォームの他の所定のオーバレイフォームへの臨時変更指示があると、前記フォーム記憶手段の該指定の給紙トレイに対して登録されているオーバレイフォームを一時待避させて、該他の所定のオーバレイフォームを一時的に登録し、該他のオーバレイフォームを使用したフォームオーバレイ印刷処理が完了すると、該指定の給紙トレイに対するオーバレイフォームを該他のオーバレイフォームから前記一時待避させた元のオーバレイフォームに戻すことを特徴とする請求項１から請求項５のいずれかに記載の画像形成装置。
【請求項７】
前記画像形成装置は、前記フォーム記憶手段が、所定の複数の識別情報に対応させて前記オーバレイフォームと前記給紙トレイが登録されて、該識別情報を介して該給紙トレイに該オーバレイフォームが割り付けられ、該オーバレイフォームの登録されていない該識別情報に対応させた該給紙トレイの登録及び該給紙トレイのみの登録されている該識別情報に対する任意の前記オーバレイフォームの登録と削除が可能であることを特徴とする請求項１から請求項６のいずれかに記載の画像形成装置。
【発明の詳細な説明】
【技術分野】
【０００１】
本発明は、画像形成装置に関し、詳細には、フォームオーバレイ印刷を行う画像形成装置に関する。
【背景技術】
【０００２】
従来、帳票等の所定のフォームにデータを挿入して印刷する帳票印刷においては、予めフォームの印刷されている用紙（プレ印刷用紙）にデータを印刷出力することで行っていたが、印刷種類が増えるに従って、数多くの種類のプレ印刷用紙を用意する必要があり、コスト上及び利用上改良の必要があった。
【０００３】
そこで、従来、画像形成装置において、フォームオーバレイ印刷処理のオン／オフを切り換えるモード切換スイッチでフォームオーバレイモードに切り換えて、ホストマシンから印刷文字コード、イメージデータ等のデータが送信されてくると、該画像形成装置で、該ホストマシンから送信されてきたデータをページ単位で展開して、予め登録されているフォームオーバレイ用のフォーム（以下、オーバレイフォームという。）に該データをページ単位で重ね合わせて画像出力するフォームオーバレイ処理（フォーム処理）を行っている（特許文献１参照）。
【０００４】
【特許文献１】特開平２−４３０７４号公報
【発明の開示】
【発明が解決しようとする課題】
【０００５】
しかしながら、上記従来技術にあっては、複数のオーバレイフォームを利用して、種々のフォームオーバレイ印刷処理を行う場合については、考慮されておらず、複数のオーバレイフォームを利用して、種々のフォームオーバレイ印刷処理を行う上で、改良の必要があった。
【０００６】
そこで、本発明は、複数のオーバレイフォームを適宜選択して給紙トレイに割り当てるとともに、給紙トレイが切り換えられると、設定に応じて該給紙トレイに割り当てられているオーバレイフォームと切換前のオーバレイフォームを選択して利用することで、複数の複数のオーバレイフォームを利用して、種々のフォームオーバレイ印刷処理を利用性が良好な状態で実行する画像形成装置を提供することを目的としている。
【課題を解決するための手段】
【０００７】
請求項１記載の発明の画像形成装置は、複数の給紙トレイに対してそれぞれ任意のオーバレイフォームが割り付けられてフォーム記憶手段に登録され、印刷データを受信すると、該印刷データの印刷に使用する給紙トレイに割り付けられているオーバレイフォームと該印刷データとをページ毎に重ね合わせて印刷するフォームオーバレイ印刷処理を行う画像形成装置において、受信した印刷データの印刷モードが印刷の途中で給紙トレイの切り換えを行う印刷モードであると、該印刷データの前記フォームオーバレイ印刷の途中に、該印刷で使用する給紙トレイが、最初の給紙トレイに割り付けられているオーバレイフォームとは異なるオーバレイフォームの割り付けられている給紙トレイに切り換わっても、該フォームオーバレイ印刷で使用するオーバレイフォームとして、該最初の給紙トレイに割り付けられているオーバレイフォームを選択使用するフォーム選択制御処理を行うことにより、上記目的を達成している。
【０００８】
この場合、例えば、請求項２に記載するように、前記画像形成装置は、前記印刷途中で給紙トレイの切り換えを行う印刷モードが、部毎に縦方向と横方向に用紙の向きを切り換えて印刷する回転ソート印刷モードであってもよい。
【０００９】
また、例えば、請求項３に記載するように、前記画像形成装置は、前記フォーム選択制御処理において、前記フォーム記憶手段の前記切り換え先の給紙トレイに対して登録されているオーバレイフォームを一時待避させて、該切り換え先の給紙トレイに対して、前記最初の給紙トレイのオーバレイフォームと同じオーバレイフォームを一時的に登録し、該印刷データの印刷処理が完了すると、該切り換え先の給紙トレイに対して前記一時待避させた元のオーバレイフォームを登録してもよい。
【００１０】
さらに、例えば、請求項４に記載するように、前記画像形成装置は、前記フォーム選択制御処理を、該フォーム選択制御処理の実行が選択されているときにのみ、実行してもよい。
【００１１】
また、例えば、請求項５に記載するように、前記画像形成装置は、複数枚連続して前記フォームオーバレイ印刷を行っている途中に、該使用中の給紙トレイに用紙無しが発生して、使用する給紙トレイが他の給紙トレイに切り換わると、選択に応じて、前記フォーム選択制御処理を中止して、該切り換わり先の給紙トレイに割り付けられているオーバレイフォームを使用して該フォームオーバレイ印刷処理を実行してもよい。
【００１２】
さらに、例えば、請求項６に記載するように、前記画像形成装置は、前記複数の給紙トレイのうち任意の給紙トレイを指定して該給紙トレイに割り付けられているオーバレイフォームの他の所定のオーバレイフォームへの臨時変更指示があると、前記フォーム記憶手段の該指定の給紙トレイに対して登録されているオーバレイフォームを一時待避させて、該他の所定のオーバレイフォームを一時的に登録し、該他のオーバレイフォームを使用したフォームオーバレイ印刷処理が完了すると、該指定の給紙トレイに対するオーバレイフォームを該他のオーバレイフォームから前記一時待避させた元のオーバレイフォームに戻してもよい。
【００１３】
また、例えば、請求項７に記載するように、前記画像形成装置は、前記フォーム記憶手段が、所定の複数の識別情報に対応させて前記オーバレイフォームと前記給紙トレイが登録されて、該識別情報を介して該給紙トレイに該オーバレイフォームが割り付けられ、該オーバレイフォームの登録されていない該識別情報に対応させた該給紙トレイの登録及び該給紙トレイのみの登録されている該識別情報に対する任意の前記オーバレイフォームの登録と削除が可能であってもよい。
【発明の効果】
【００１４】
本発明の画像形成装置によれば、受信した印刷データの印刷モードが印刷の途中で給紙トレイの切り換えを行う印刷モードであると、該印刷データのフォームオーバレイ印刷の途中に、該印刷に使用する給紙トレイが、最初の給紙トレイに割り付けられているオーバレイフォームとは異なるオーバレイフォームの割り付けられている給紙トレイに給紙トレイが切り換わっても、該フォームオーバレイ印刷で使用するオーバレイフォームとして、該最初の給紙トレイに割り付けられているオーバレイフォームを選択使用するフォーム選択制御処理を行うので、回転ソート印刷等のように印刷の途中で、該印刷に使用する給紙トレイが、割り付けられているオーバレイフォームの異なる給紙トレイに切り換わるフォームオーバレイ印刷を行う場合にも、適切なオーバレイフォームを使用したフォームオーバレイ印刷を行うことができ、利用性を向上させることができる。
【発明を実施するための最良の形態】
【００１５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１６】
図１及び図２は、本発明の画像形成装置の第１実施例を示す図であり、図１は、本発明の画像形成装置の第１実施例を適用したレーザプリンタ１のブロック構成図である。
【００１７】
図１において、レーザプリンタ１は、コントローラ２、オペレーションパネル３、ハードディスク４、プリンタエンジン５及びメインパワー６等を備えており、ＬＡＮ（Local Area Network）、インターネット等のネットワークＮＷに接続されているとともに、ホスト装置３０に接続されている。レーザプリンタ１は、後述するように、ホスト装置３０等から送られてきた印刷データをページ単位で展開して、予め登録されているオーバレイフォームに該印刷データをページ単位で重ね合わせて印刷出力するフォームオーバレイ印刷処理を行う。
【００１８】
ホスト装置３０は、通常のハードウェア資源を備えたコンピュータ等が用いられ、ハードディスク３１を備えている。ハードディスク３１には、ＯＳ（Operating System）や各種アプリケーションソフトウェア（以下、単に、アプリケーションという。）、プリンタドライバ及びアプリケーションで作成されたデータ等を蓄積する。ホスト装置３０は、アプリケーションで作成された文章や画像等の文書データの印刷要求が行われると、プリンタドライバでレーザプリンタ１の解釈できる印刷データに変換して印刷設定データとともに印刷ジョブとしてレーザプリンタ１に送信する。
【００１９】
ネットワークＮＷには、図示しないが、ホスト装置や他のプリンタ等が接続されており、該ホスト装置から該ホスト装置でアプリケーションを使用して作成された文書の印刷データと制御情報がレーザプリンタ１や他のプリンタに送信される。
【００２０】
メインパワー６は、１００Ｖ商用電源等の外部電源を電圧調整及び電力調整して、レーザプリンタ１の各部に供給する。
【００２１】
コントローラ２は、そのときに設定されている制御モード及びホスト装置３０またはネットワークＮＷに接続されているホスト装置等からの制御コードに従ってホスト装置３０またはネットワークＮＷのホスト装置から受け取った印刷データを、ビデオデータに変換して、プリンタエンジン５へ出力する画像処理制御を行うものであり、ホストＩ／Ｆ１１、プログラムＲＯＭ（Read Only Memory）１２、フォントＲＯＭ１３、パネルＩ／Ｆ１４、ディスクＩ／Ｆ１５、ＣＰＵ（Central Processing Unit ）１６、ＲＡＭ（Random Access Memory）１７、ＮＶ−ＲＡＭ（Nonvolatile Random Access Memory：不揮発性ＲＡＭ）１８、エンジンＩ／Ｆ１９及びネットワークＩ／Ｆ２０等を備えている。
【００２２】
ホストＩ／Ｆ１１には、ホスト装置３０が接続されており、ホストＩ／Ｆ１１は、ホスト装置３０からの制御信号や印刷データの受信処理及びレーザプリンタ１からホスト装置３０へのステータス信号の送信処理を行う。
【００２３】
プログラムＲＯＭ１２は、コントローラ２内でのデータの処理、管理、周辺モジュールを制御するためのプログラム、特に、レーザプリンタ１の基本処理プログラム及び後述するフォーム選択制御処理を伴うフォームオーバレイ印刷処理プログラム等の各種プログラム及びこれらの各種プログラムを実行するのに必要なデータ等を格納しており、ＣＰＵ（制御手段）１６は、プログラムＲＯＭ１２内のプログラムに従ってホスト装置３０からのデータ(印刷データ、制御データ等)を印刷ジョブとして処理し、特に、後述するフォームオーバレイ印刷処理及びこのフォームオーバレイ印刷処理でのフォーム選択制御処理を実行する。
【００２４】
ＲＡＭ１７は、ＣＰＵ１６のワークメモリ、ホスト装置３０やネットワークＮＷ上のホスト装置からの印刷データをページ単位に管理して一時記憶するバッファ及びバッファに記憶された印刷データを実際の印字パターンに変換してビデオデータを記憶するビットマップメモリ等に使用される。
【００２５】
フォントＲＯＭ１３は、印字（印刷）に使用する各種フォントを格納しており、ＣＰＵ１６の制御下で読み出されて使用される。
【００２６】
パネルＩ／Ｆ１４には、オペレーションパネル３が接続されており、オペレーションパネル３は、レーザプリンタ１の状態を示す表示部及びレーザプリンタ１のモード、フォント等を切り換えるスイッチ部等を備えている。パネルＩ／Ｆ１４は、コントローラ２とオペレーションパネル３とのインターフェイス処理を行う。
【００２７】
ディスクＩ／Ｆ１５には、ハードディスク４が接続されており、ディスクＩ／Ｆ１５は、ＣＰＵ１６とハードディスク４とのデータ及び制御信号の授受を行って、ＣＰＵ１６の制御下で、大容量のデータをハードディスク４に記憶し、また、ハードディスク４からデータを読み出す。
【００２８】
ＮＶＲＡＭ（フォーム記憶手段）１８は、レーザプリンタ１の電源がオフの場合にも保持すべきデータが格納される。特に、ＮＶＲＡＭ１８は、ＣＰＵ１６の制御下で、フォームオーバレイ印刷処理で利用する各種オーバレイフォームが格納される。また、この各種オーバレイフォームは、オペレーションパネル３の操作やホスト装置からの制御コマンドによって、プリンタエンジン５の給紙トレイに対して割り付けることができ、ＮＶＲＡＭ１８は、このオーバレイフォームと該オーバレイフォームの割り付け先の給紙トレイとを対応付けた割付情報をＣＰＵ１６の制御下で記憶する。
【００２９】
エンジンＩ／Ｆ１９は、コントローラ２からプリンタエンジン５へ渡す制御信号やビデオ信号のインターフェイスであり、また、プリンタエンジン５からコントローラ２へ渡すステータス信号のインターフェイスである。
【００３０】
プリンタエンジン５は、エンジンＩ／Ｆ１９を介してコントローラ２から受け取ったビデオ信号および制御信号により所定の画像形成方式、例えば、電子写真方式により画像形成（印刷処理）を行う。すなわち、プリンタエンジン５は、電子写真方式で画像形成する場合、電子写真方式で用紙に印刷データを記録出力するのに必要な部品、例えば、感光体、光書込部、現像部、帯電部及びクリーニング部等を備えており、ビデオ信号および制御信号により光書込部を動作させて感光体上に静電潜像を形成し、現像部によりトナーを感光体上に供給して現像してトナー画像を形成する。そして、プリンタエンジン５は、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。そして、プリンタエンジン５は、図示しないが、その給紙部に、複数の給紙トレイを備えており、上述のように、オペレーションパネル３の操作やホスト装置からの制御コマンドによって、各給紙トレイに対して、フォームオーバレイ印刷処理のオーバレイフォームが割り付けられる。
【００３１】
ネットワークＩ／Ｆ２０には、上述のように、図示しないホスト装置等の接続されているネットワークＮＷが接続されており、ネットワークＩ／Ｆ２０は、ネットワークＮＷのホスト装置からレーザプリンタ１への制御信号や印刷データの受信処理及びレーザプリンタ１からネットワークＮＷのホスト装置へのステータス信号の送信処理を行う。
【００３２】
すなわち、レーザプリンタ１は、ホストＩ／Ｆ１１とネットワークＩ／Ｆ２０を介して複数のホスト装置に接続されていて、各ホスト装置から印刷データが送信され、印刷データと制御情報をページ毎に受信して、１ページ分の印刷データと制御情報を受信すると、描画情報に変換してプリンタエンジン５に渡してプリンタエンジン５で該ページの印刷処理を行うという処理をページ毎に実行するとともに、フォームオーバレイ印刷処理モードがオンに設定されていると、受信した印刷データを、該印刷データの印刷に使用する給紙トレイとして指定されている給紙トレイに割り付けられているオーバレイフォームと重ね合わせて印刷するフォームオーバレイ印刷処理を実行し、このフォームオーバレイ印刷処理において、使用するオーバレイフォームの選択制御を行うフォーム選択制御処理を実行する。
【００３３】
次に、本実施例の作用を説明する。本実施例のレーザプリンタ１は、フォームオーバレイ印刷処理において、使用するオーバレイフォームを適宜選択するフォーム選択制御処理を行う。
【００３４】
すなわち、レーザプリンタ１は、オペレーションパネル３の操作やホスト装置からの制御コマンドによって、予めプリンタエンジン５の給紙トレイに対してＮＶＲＡＭ１８に格納されているオーバレイフォームのうち、該給紙トレイを使用したフォームオーバレイ印刷で使用するオーバレイフォームが割り付けられており、このオーバレイフォームの給紙トレイへの割付情報がＮＶＲＡＭ１８に格納されている。  
【００３５】
この状態で、ホスト装置から印刷データと制御情報が送信されてくると、該制御情報に基づいて、あるいは、オペレーションパネル３の設定状態に基づいて、フォームオーバレイ印刷処理がオンであるかチェックし、オンであると、該ホスト装置からの制御情報に基づいて、あるいは、オペレーションパネル３の設定状態に基づいて、印刷途中で用紙切れ等が発生しなくても給紙トレイを切り換える給紙トレイ切換処理が発生する印刷モードであるか、例えば、回転ソート印刷モードが指定されているかチェックする（ステップＳ１０１）。なお、本実施例においては、印刷途中で用紙切れ等が発生しなくても給紙トレイを切り換える給紙トレイ切換処理が発生する印刷モードとして、回転ソート印刷モードを例に取り上げているが、該給紙トレイ切換処理が発生する印刷モードとしては、回転ソート印刷モードに限るものではない。
【００３６】
ステップＳ１０１で、回転ソート印刷モードでないときには、ＣＰＵ１６は、印刷途中で給紙トレイの切り換えが発生しないと判断して、オーバレイフォームとして、該印刷データを印刷するのに使用する給紙トレイ（制御情報またはオペレーションパネル３で指定されている給紙トレイ）に割り付けられているオーバレイフォームをＮＶＲＡＭ１８から読み出し、該オーバレイフォームをＲＡＭ１７に展開して、このオーバレイフォームに受信した印刷データを重ね合わせて展開し、この重ね合わせたデータをビデオデータに変換してエンジンＩ／Ｆ１９を介してプリンタエンジン５に渡し、プリンタエンジン５で、オーバレイフォームとデータを重ね合わせた画像を、該給紙トレイから送給されてくる用紙に印刷出力させる。
【００３７】
ステップＳ１０１で、回転ソートが指定されていると、ＣＰＵ１６は、該印刷データの１部目の印刷であるかチェックし（ステップＳ１０２）、１部目であれば、オーバレイフォームとして、該印刷データを印刷するのに使用する給紙トレイに割り付けられているオーバレイフォームを使用して、上記同様に、プリンタエンジン５で、該オーバレイフォームと印刷データを重ね合わせた画像を、該給紙トレイからの用紙に印刷出力させる。
【００３８】
ステップＳ１０３で、１部目でないときには、ＣＰＵ１６は、給紙トレイが１部目の給紙トレイとは異なる回転した状態の用紙の収納されている給紙トレイに切り換わっているので、該切り換わった給紙トレイにオーバレイフォームが割り付けられているか、すなわち、割付オーバレイフォームがあるかチェックし（ステップＳ１０３）、割付オーバレイフォームがないときには、１部目のオーバレイフォームをそのまま使用して、上記同様に、プリンタエンジン５で、該オーバレイフォームとデータを重ね合わせた画像を、該給紙トレイからの用紙に印刷出力させる。
【００３９】
ステップＳ１０３で、切り換わり先の給紙トレイに割付オーバレイフォームがあるときには、ＣＰＵ１６は、ＮＶＲＡＭ１８の割付情報に登録されている該切り換わり先の給紙トレイの割付オーバレイフォームを一時待避させて、１部目の印刷に使用した給紙トレイの割付オーバレイフォームを該切り換わり先の給紙トレイの割付オーバレイフォームとして割り付け（ステップＳ１０５）、該１部目の割付オーバレイフォームを使用して、上記同様に、プリンタエンジン５で、該オーバレイフォームとデータを重ね合わせた画像を、該給紙トレイからの用紙に印刷出力させる（ステップＳ１０６）。
【００４０】
２部目の印刷が完了すると、ＣＰＵ１６は、全ての部数の回転ソート印刷が完了したかチェックし（ステップＳ１０７）、未印刷の部数があるときには、ステップＳ１０６に戻って、給紙トレイを切り換えて、該切り換え先に割り付けられている割付オーバレイフォームを使用して、上記同様に、該オーバレイフォームとデータを重ね合わせた画像を、該給紙トレイからの用紙に印刷出力させ、該部の印刷が完了すると、全ての部数の回転ソート印刷が完了したかチェックする処理を全ての部数の回転ソート印刷が完了するまで行う（ステップＳ１０６、Ｓ１０７）。この給紙トレイを順次切り換えて回転ソート印刷を行う場合、ＮＶＲＡＭ１８の割付情報として、偶数部数で使用する給紙トレイには、ステップＳ１０４とステップＳ１０５で１部目の給紙トレイに割り付けられている割付オーバレイフォームが一時的に割り付けられているため、全ての部の印刷において、１部目の給紙トレイのオーバレイフォームを使用してフォームオーバレイ印刷を行うことができる。
【００４１】
ステップＳ１０７で、全ての部の印刷が完了すると、ＣＰＵ１６は、ステップＳ１０４で、一時待避させた２部目の給紙トレイのオーバレイフォームを、ＮＶＲＡＭ１８の該２部目の給紙トレイのオーバレイフォームとして、リストア（復元）して処理を終了する（ステップＳ１０８）。
【００４２】
このように、本実施例のレーザプリンタ１は、受信した印刷データの印刷モードが印刷の途中で給紙トレイの切り換えを行う印刷モードであると、該印刷データのフォームオーバレイ印刷の途中に、該印刷で使用する給紙トレイが、最初の給紙トレイに割り付けられているオーバレイフォームとは異なるオーバレイフォームの割り付けられている給紙トレイに切り換わっても、該フォームオーバレイ印刷で使用するオーバレイフォームとして、該最初の給紙トレイに割り付けられているオーバレイフォームを選択使用するフォーム選択制御処理を行っている。
【００４３】
したがって、印刷途中で、割り付けられているオーバレイフォームの異なる給紙トレイに使用する給紙トレイが切り換わるフォームオーバレイ印刷を行う場合にも、適切なオーバレイフォームを使用したフォームオーバレイ印刷を行うことができ、利用性を向上させることができる。
【００４４】
また、本実施例のレーザプリンタ１は、印刷途中で給紙トレイの切り換えを行う印刷モードが、部毎に縦方向と横方向に用紙の向きを切り換えて印刷する回転ソート印刷モードである場合に、最初の給紙トレイに割り付けられているオーバレイフォームを選択使用するフォーム選択制御処理を行っている。
【００４５】
したがって、フォームオーバレイ処理を伴う回転ソート印刷を適切に行うことができ、利用性を向上させることができる。
【００４６】
さらに、本実施例のレーザプリンタ１は、フォーム選択制御処理において、ＮＶＲＡＭ１８の切り換え先の給紙トレイに対して登録されているオーバレイフォームを一時待避させて、該切り換え先の給紙トレイに対して、最初の給紙トレイのオーバレイフォームと同じオーバレイフォームを一時的に登録し、該印刷データの印刷処理が完了すると、該切り換え先の給紙トレイに対して一時待避させた元のオーバレイフォームを登録している。
【００４７】
したがって、連続して給紙トレイが切り換わる場合にも、適切かつ簡単にフォーム選択制御処理を行うことができる。
【００４８】
なお、上記フォーム選択制御処理は、オペレーションパネル３の操作やホスト装置からの制御コマンドによって、該フォーム選択制御処理の実行が選択されているときにのみ、実行するようにしてもよい。
【００４９】
このようにすると、レーザプリンタ１の利用形態やユーザの利用形態等に応じて、適切なフォームオーバレイ印刷を行うことができ、より一層利用性を向上させることができる。
【実施例２】
【００５０】
図３は、本発明の画像形成装置の第２実施例を適用したレーザプリンタによるフォーム選択制御処理を伴うフォームオーバレイ印刷処理を示すフローチャートである。
【００５１】
本実施例は、上記第１実施例のレーザプリンタ１と同様のレーザプリンタに適用したものであり、本実施例の説明においては、必要に応じて第１実施例で用いた符号をそのまま用いて説明する。
【００５２】
レーザプリンタ１は、各給紙トレイにオーバレイフォームを割付オーバレイフォームとして割り付けて、印刷に使用する給紙トレイを指定するのみで、該給紙トレイに割り付けられている割付オーバレイフォームを使用したフォームオーバレイ印刷処理を行うことができるが、このフォームオーバレイ印刷処理において、第１実施例の回転ソート印刷のように給紙トレイが切り換わる印刷処理を行う印刷モードが指定されると、予め割り付けられた割付オーバレイフォームを、該印刷モードにおいて利用するのに適切なオーバレイフォームを切り換わり先の給紙トレイに臨時に割り付けるフォーム選択制御処理を行い、該臨時の割付オーバレイフォームを使用してフォームオーバレイ印刷処理を行う。
【００５３】
ところが、上記フォーム選択制御処理を行って、給紙トレイに既に割り付けられている割付オーバレイフォームを他の臨時のオーバレイフォームに切り換えると、逆に利用性を損なうことがある。
【００５４】
例えば、通常、各給紙トレイには、該給紙トレイに割り付けられている割付オーバレイフォームに適切な用紙（用紙サイズ等が適切な用紙）が収納されており、このような場合に、切り換えた先の給紙トレイに収納されている用紙が、該給紙トレイの割付オーバレイフォームから切り換えられた臨時のオーバレイフォームにとっては、用紙サイズ等において適切でなく、意図するフォームオーバレイ印刷を行うことができない場合がある。
【００５５】
そこで、本実施例のレーザプリンタ１は、給紙トレイが切り換わった場合に、ユーザの設定（選択）に応じて、給紙トレイが切り換わってもオーバレイフォームを切り換えない（すなわち、切り換わり先の給紙トレイの割付オーバレイフォームを臨時のオーバレイフォームに切り換える）フォーム選択制御処理と、該フォーム選択制御処理を中止して、該給紙トレイに元々割り付けられている割付オーバレイフォームを用いる処理とを行う。
【００５６】
そして、この給紙トレイ切り換え時に使用するオーバレイフォームを切り換え先の給紙トレイの割付オーバレイフォームをそのまま用いるか否かの設定は、レーザプリンタ１のオペレーションパネル３での操作やホスト装置からの制御コマンドによって行うことができ、ＣＰＵ１６は、この設定内容をトレイ切換時オーバレイフォーム選択設定情報としてＮＶＲＡＭ１８に格納する。
【００５７】
すなわち、レーザプリンタ１は、給紙トレイの切り換えを伴わない印刷モードによる印刷処理、例えば、通常のフォームオーバレイ印刷処理の印刷モードによって、指定の給紙トレイを使用して、該給紙トレイに割り付けられている割付オーバレイフォームを使用してフォームオーバレイ印刷処理を行う場合、ＣＰＵ１６が、図３に示すように、該印刷中に、該使用中の給紙トレイの用紙が無くなったか、すなわち、用紙切れが発生したかチェックし（ステップＳ２０１）、用紙切れが発生しない場合には、そのままフォームオーバレイ印刷処理を行う。
【００５８】
ステップＳ２０１で、用紙切れが発生すると、ＣＰＵ１６は、使用する給紙トレイが他の給紙トレイに切り換わったかチェックし（ステップＳ２０２）、用紙切れの発生した給紙トレイに用紙が補給されて給紙トレイが切り換わらないときには、そのままフォームオーバレイ印刷処理を行う。
【００５９】
ステップＳ２０２で、給紙トレイが切り換わると、ＣＰＵ１６は、ＮＶＲＡＭ１８の割付情報を参照して、該切り換わり先の給紙トレイに割り付けられている割付オーバレイフォームがあるかチェックし（ステップＳ２０３）、割付オーバレイフォームがないときには、そのまま元のオーバレイフォームを使用して、フォームオーバレイ印刷処理を行う。
【００６０】
ステップＳ２０３で、切り換わり先の給紙トレイに割付オーバレイフォームがあるときには、ＣＰＵ１６は、ＮＶＲＡＭ１８のトレイ切換時オーバレイフォーム選択設定情報を参照して、オーバレイフォームを切り換える設定となっているかチェックし（ステップＳ２０４）、オーバレイフォームを切り換える設定とはなっていないときには、そのまま元のオーバレイフォームを使用して、フォームオーバレイ印刷処理を行う。
【００６１】
ステップＳ２０４で、オーバレイフォームを切り換える設定となっていると、ＣＰＵ１６は、切り換わり先の給紙トレイに割り付けられているオーバレイフォームを、該印刷で使用するオーバレイフォームとして選択して（ステップＳ２０５）、フォームオーバレイ印刷処理を行って（ステップＳ２０６）、印刷ジョブが終了したかチェックする（ステップＳ２０７）。
【００６２】
ステップＳ２０７で、印刷ジョブが終了していないときには、ＣＰＵ１６は、ステップＳ２０２またはステップＳ２０１に戻って、給紙トレイの切り換えが発生したかチェックする処理から上記同様に処理する（ステップＳ２０２〜Ｓ２０７）。
【００６３】
ステップＳ２０７で、印刷ジョブが終了すると、ＣＰＵ１６は、印刷処理及びフォーム選択制御処理を終了する。
【００６４】
このように、本実施例のレーザプリンタ１は、複数枚連続してフォームオーバレイ印刷を行っている途中に、使用中の給紙トレイに用紙無しが発生して、使用する給紙トレイが他の給紙トレイに切り換わると、選択に応じて、フォーム選択制御処理を中止して、該切り換わり先の給紙トレイに割り付けられているオーバレイフォームを使用して該フォームオーバレイ印刷処理を実行している。
【００６５】
したがって、用紙無しで切り換わった切り換わり先の給紙トレイに割り付けられているオーバレイフォームが、最初の給紙トレイに割り付けられているオーバレイフォームと異なり、切り換わり先の給紙トレイの用紙が最初の給紙トレイの用紙と異なる場合に、選択に応じて、フォーム選択制御処理を行うことで、不適切なフォームオーバレイ印刷が行われることを、切り換わり先の給紙トレイに元々割り付けられているオーバレイフォームを使用してフォームオーバレイ印刷を行うことで、分かりやすくして警告し、不適切なフォームオーバレイ印刷がいつまでも継続して行われることを防止して、利用性を向上させることができる。
【実施例３】
【００６６】
図４は、本発明の画像形成装置の第３実施例を適用したレーザプリンタによるフォーム選択制御処理を伴うフォームオーバレイ印刷処理を示すフローチャートである。
【００６７】
本実施例は、上記第１実施例のレーザプリンタ１と同様のレーザプリンタに適用したものであり、本実施例の説明においては、必要に応じて第１実施例で用いた符号をそのまま用いて説明する。
【００６８】
レーザプリンタ１は、各給紙トレイにオーバレイフォームを割付オーバレイフォームとして割り付けて、印刷に使用する給紙トレイを指定するのみで、該給紙トレイに割り付けられている割付オーバレイフォームを使用したフォームオーバレイ印刷処理を行うことができるが、このフォームオーバレイ印刷処理において、第１実施例の回転ソート印刷のように給紙トレイが切り換わる印刷処理を行う印刷モードが指定されると、予め割り付けられた割付オーバレイフォームを、該印刷モードにおいて利用するのに適切なオーバレイフォームを切り換わり先の給紙トレイに臨時に割り付けるフォーム選択制御処理を行い、該臨時の割付オーバレイフォームを使用してフォームオーバレイ印刷処理を行う。
【００６９】
そして、本実施例のレーザプリンタ１は、フォーム選択制御処理を行って、給紙トレイに既に割り付けられている割付オーバレイフォームを他の臨時のオーバレイフォームに切り換えるだけでなく、利用性をさらに向上させるために、オペレーションパネル３の操作コマンドやホスト装置からの制御コマンドによって、ＮＶＲＡＭ１８に格納されている各種オーバレイフォームを適宜選択可能として、該コマンドによって選択指定されたコマンド指定オーバレイフォームを臨時に使用するオーバレイフォームとするフォーム選択制御処理を行い、該臨時のオーバレイフォームを使用したフォームオーバレイ印刷処理を行ってもよい。
【００７０】
すなわち、レーザプリンタ１は、オペレーションパネル３の操作やホスト装置からの制御コマンドによって、予めプリンタエンジン５の給紙トレイに対してＮＶＲＡＭ１８に格納されているオーバレイフォームのうち使用するオーバレイフォームが割り付けられて、このオーバレイフォーム割付情報がＮＶＲＡＭ１８に格納されている状態で、ホスト装置から印刷データと制御情報が送信されてくると、図４に示すように、ＣＰＵ１６が、該制御情報に基づいて、あるいは、オペレーションパネル３の設定状態に基づいて、フォームオーバレイ印刷処理がオンであるかチェックし、オンであると、制御情報によって指定されている給紙トレイに割り付けられている割付オーバレイフォームをフォームオーバレイ印刷処理に使用するオーバレイフォームとして選択し（ステップＳ３０１）、コマンドによるオーバレイフォームの指定があるかチェックする（ステップＳ３０２）。
【００７１】
ステップＳ３０１で、コマンドによるオーバレイフォームの指定がないときには、ＣＰＵ１６は、そのまま給紙トレイに割り付けられている割付オーバレイフォームを使用して、フォームオーバレイ印刷処理を行う。
【００７２】
ステップＳ３０２で、コマンドによるオーバレイフォームの指定があるときには、ＣＰＵ１６は、ＮＶＲＡＭ１８の給紙トレイに割り付けられている割付オーバレイフォームを一時待避させ（ステップＳ３０３）、コマンドで指定されているオーバレイフォーム（コマンド指定オーバレイフォーム）を、印刷で使用するオーバレイフォームとして選択して、該コマンド指定オーバレイフォームを使用して１ページ分のフォームオーバレイ印刷処理を行って（ステップＳ３０４）、印刷ジョブが終了したかチェックする（ステップＳ３０５）。
【００７３】
ステップＳ３０５で、印刷ジョブが終了していないときには、ＣＰＵ１６は、ステップＳ３０２に戻って、コマンドによるオーバレイフォームの指定があるかチェックし（ステップＳ３０２）、コマンドによるオーバレイフォームの指定がないときには、給紙トレイに割り付けられている割付オーバレイフォームを使用して、フォームオーバレイ印刷処理を行う。
【００７４】
ステップＳ３０２で、コマンドによるオーバレイフォームの指定があるときには、ＣＰＵ１６は、給紙トレイに割り付けられている割付オーバレイフォームを一時待避させ（ステップＳ３０３）、コマンドで指定されているオーバレイフォーム（コマンド指定オーバレイフォーム）を、印刷で使用するオーバレイフォームとして選択して、該コマンド指定オーバレイフォームを使用して１ページ分のフォームオーバレイ印刷処理を行って（ステップＳ３０４）、印刷ジョブが終了したかチェックする（ステップＳ３０５）。
【００７５】
ステップＳ３０５で、印刷ジョブが終了すると、ＣＰＵ１６は、印刷処理及びフォーム選択制御処理を終了する。
【００７６】
このように、本実施例のレーザプリンタ１は、複数の給紙トレイのうち任意の給紙トレイを指定して該給紙トレイに割り付けられているオーバレイフォームの他の所定のオーバレイフォームへのコマンド指定（臨時変更指示）があると、ＮＶＲＡＭ１８の該コマンド指定の給紙トレイに対して登録されているオーバレイフォームを一時待避させて、該他の所定のオーバレイフォームを一時的に登録し、該他のオーバレイフォームを使用したフォームオーバレイ印刷処理が完了すると、該指定の給紙トレイに対するオーバレイフォームを該他のオーバレイフォームから一時待避させた元のオーバレイフォームに戻している。
【００７７】
したがって、コマンドの指定によって、一時的に意図するオーバレイフォームを利用したフォームオーバレイ印刷を簡単かつ適切に行うことができ、利用性をより一層向上させることができる。
【実施例４】
【００７８】
図５は、本発明の画像形成装置の第４実施例を適用したレーザプリンタによるフォーム選択制御処理の説明図である。
【００７９】
本実施例は、上記第１実施例のレーザプリンタ１と同様のレーザプリンタに適用したものであり、本実施例の説明においては、必要に応じて第１実施例で用いた符号をそのまま用いて説明する。
【００８０】
レーザプリンタ１は、各給紙トレイにオーバレイフォームを割付オーバレイフォームとして割り付けて、印刷に使用する給紙トレイを指定するのみで、該給紙トレイに割り付けられている割付オーバレイフォームを使用したフォームオーバレイ印刷処理を行うことができるが、このフォームオーバレイ印刷処理において、第１実施例の回転ソート印刷のように給紙トレイが切り換わる印刷処理を行う印刷モードが指定されると、予め割り付けられた割付オーバレイフォームを、該印刷モードにおいて利用するのに適切なオーバレイフォームを切り換わり先の給紙トレイに臨時に割り付けるフォーム選択制御処理を行い、該臨時の割付オーバレイフォームを使用してフォームオーバレイ印刷処理を行う。
【００８１】
そして、本実施例のレーザプリンタ１は、フォーム選択制御処理を行って、給紙トレイに既に割り付けられている割付オーバレイフォームを他の臨時のオーバレイフォームに切り換えるだけでなく、利用性をさらに向上させるために、ＮＶＲＡＭ１８に、オーバレイフォームの登録対象となる登録番号（識別情報）を登録番号割付情報として登録し、該登録番号に対して、オーバレイフォームを登録可能とするとともに、オーバレイフォームが登録されているかいないかにかかわらず、登録番号を給紙トレイに割り付けて、該登録番号によって給紙トレイに割り付けられているオーバレイフォームの管理を行うようにすることで、未登録のオーバレイフォームを給紙トレイに予約割付する設定を可能とする。
【００８２】
すなわち、レーザプリンタ１は、オペレーションパネル３の操作またはホスト装置からの制御コマンドによって、図５に示すように、ＮＶＲＡＭ１８にオーバレイフォームの登録されていない登録番号である登録番号Ｎｏ．１を給紙トレイＡと給紙トレイＢに割り付ける設定が行われると、ＣＰＵ１６が、指定の登録番号を給紙トレイＡと給紙トレイＢに割り付ける登録番号割付情報をＮＶＲＡＭ１８に登録する。
【００８３】
次に、オーバレイフォームＦＯＲＭ  ａが登録番号Ｎｏ．１を指定して登録する指示があると、ＣＰＵ１６は、該オーバレイフォームＦＯＲＭ  ａを登録番号Ｎｏ．１に対応させてＮＶＲＡＭ１８に登録する。
【００８４】
この状態で、給紙トレイＡ、Ｂを指定する印刷データがホスト装置から送られてくると、ＣＰＵ１６は、ＮＶＲＡＭ１８から給紙トレイＡ、Ｂに対して割り付けられている登録番号Ｎｏ．１に登録されているオーバレイフォームＦＯＲＭ  ａをオーバレイフォームとして選択して、該オーバレイフォームＦＯＲＭ  ａに印刷データを重ね合わせて（合成して）印刷するフォームオーバレイ印刷処理を行う。
【００８５】
次に、オーバレイフォームＦＯＲＭ  ａの削除が指示されると、ＣＰＵ１６は、ＮＶＲＡＭ１８から該指示されたオーバレイフォームＦＯＲＭ  ａをＮＶＲＡＭ１８から削除するが、登録番号Ｎｏ．１の給紙トレイＡ、Ｂへの登録番号割付情報については、有効状態のままとする。
【００８６】
この状態で、給紙トレイＡ、Ｂを指定する印刷データがホスト装置から送られてくると、ＣＰＵ１６は、ＮＶＲＡＭ１８から給紙トレイＡ、Ｂに対して登録番号Ｎｏ．１は割り付けられているが、登録番号Ｎｏ．１にはオーバレイフォームが登録されておらず、該印刷データに対して合成するオーバレイフォームがないため、フォームオーバレイ処理を行うことなく、通常の印刷処理を行う。
【００８７】
次に、オーバレイフォームＦＯＲＭ  ｂが登録番号Ｎｏ．１を指定して登録する指示があると、ＣＰＵ１６は、該オーバレイフォームＦＯＲＭ  ｂを登録番号Ｎｏ．１に対応させてＮＶＲＡＭ１８に登録する。
【００８８】
この状態で、給紙トレイＡ、Ｂを指定する印刷データがホスト装置から送られてくると、ＣＰＵ１６は、ＮＶＲＡＭ１８から給紙トレイＡ、Ｂに対して割り付けられている登録番号Ｎｏ．１に登録されているオーバレイフォームＦＯＲＭ  ｂをオーバレイフォームとして選択して、該オーバレイフォームＦＯＲＭ  ｂに印刷データを重ね合わせて（合成して）印刷するフォームオーバレイ印刷処理を行う。
【００８９】
このように、本実施例のレーザプリンタ１は、ＮＶＲＡＭ１８に、所定の複数の登録番号（識別情報）に対応させてオーバレイフォームと給紙トレイが登録されて、該登録番号を介して該給紙トレイに該オーバレイフォームが割り付けられ、該オーバレイフォームの登録されていない該登録番号に対応させた該給紙トレイの登録及び該給紙トレイのみの登録されている該登録番号に対する任意のオーバレイフォームの登録と削除が可能である。
【００９０】
したがって、意図する給紙トレイへの意図するオーバレイフォームの登録・削除を簡単かつ容易に行うことができ、意図するオーバレイフォームを利用したフォームオーバレイ印刷をより一層簡単かつ適切に行うことができる。
【００９１】
なお、上記説明においては、識別情報として登録番号を用いて、給紙トレイへの割り付けとオーバレイフォームの登録及びこれらの割り付けと登録の関連付けを行って管理しているが、識別情報としては、番号に限るものではなく、適切に給紙トレイへの割付とオーバレイフォームの登録及びこれらの割り付けと登録の関連づけを適切に行うことのできるものであれば、記号その他の適宜の情報を利用することができる。
【００９２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９３】
本発明は、印刷データをオーバレイフォームに重ね合わせて、給紙トレイから送給される用紙に印刷するフォームオーバレイ印刷処理を行うレーザプリンタ、複合装置等の画像形成装置一般に適用することができる。
【図面の簡単な説明】
【００９４】
【図１】本発明の画像形成装置の第１実施例を適用したレーザプリンタのブロック構成図。
【図２】図１のレーザプリンタによるフォーム選択制御処理を伴うフォームオーバレイ印刷処理を示すフローチャート。
【図３】本発明の画像形成装置の第２実施例を適用したレーザプリンタによるフォーム選択制御処理を伴うフォームオーバレイ印刷処理を示すフローチャート。
【図４】本発明の画像形成装置の第３実施例を適用したレーザプリンタによるフォーム選択制御処理を伴うフォームオーバレイ印刷処理を示すフローチャート。
【図５】本発明の画像形成装置の第４実施例を適用したレーザプリンタによるフォーム選択制御処理の説明図。
【符号の説明】
【００９５】
１  レーザプリンタ
２  コントローラ
３  オペレーションパネル
４  ハードディスク
５  プリンタエンジン
６  メインパワー
ＮＷ  ネットワーク
１１  ホストＩ／Ｆ
１２  プログラムＲＯＭ
１３  フォントＲＯＭ
１４  パネルＩ／Ｆ
１５  ディスクＩ／Ｆ
１６  ＣＰＵ
１７  ＲＡＭ
１８  ＮＶＲＡＭ
１９  エンジンＩ／Ｆ
２０  ネットワークＩ／Ｆ  ３０  ホスト装置
３１  ハードディスク
【図１】
2008119942.tif 000003
【図２】
2008119942.tif 000004
【図３】
2008119942.tif 000005
【図４】
2008119942.tif 000006
【図５】
2008119942.tif 000007